(57)【要約】      （修正有）【課題】沸騰したお湯に浮き、取り扱いの簡単な殻のない卵の調理器具を提供する。【解決手段】殻のない卵が入り、蓋２０によって閉じられた容器１０を備え、容器は、底部１２を備えたカップ１１と、上方開口部１３と、上方開口部の周りに設定される周辺閉鎖要素と、を備え、蓋は、カバー壁と、容器の周辺閉鎖要素に圧力嵌合される周辺閉鎖要素１５と、を備える。容器のカップは、底部に隣接する下方領域よりも容積が大きく、上方開口部に隣接する上方領域を有し、それにより、蓋で閉じられる。容器は、柔軟素材からなり、上方開口部の縁から外と下に向けて伸びる周辺リブ１４を有し、それにより、調理器具が浮かんでいるときに、周辺リブが空気を捉える。【選択図】図１
0003177082.tif 000002
【実用新案登録請求の範囲】
【請求項１】
殻のない卵の調理器具で、
少なくとも１個の殻のない卵が入る大きさの容器（１０）と、
前記容器（１０）を閉じることのできる蓋（２０）と、
を備え、
前記殻のない卵が入り、前記蓋（２０）によって閉じられた前記容器（１０）が、少なくとも部分的に、卵をゆでるために沸騰したお湯に浸され、
前記容器（１０）は、底部（１２）を備えたカップ（１１）と、上方開口部（１３）と、前記上方開口部（１３）の周りに設定される周辺閉鎖要素（１５）と、を備え、
前記蓋（２０）は、カバー壁（２１）と、前記容器（１０）の前記周辺閉鎖要素（１５）に圧力嵌合される周辺閉鎖要素（２２）と、を備え、
前記容器（１０）の前記カップ（１１）は、前記底部（１２）に隣接する下方領域（１１ｂ）よりも容積が大きく、前記上方開口部（１３）に隣接する上方領域（１１ａ）を有し、それにより、前記蓋（２０）で閉じられ、前記殻なし卵が入る前記容器（１０）が沸騰したお湯に浮き、その際に、前記カップ（１１）が実質的に沈み、前記蓋（２０）が実質的に浮かび出る調理器具であって、
前記容器（１０）は、柔軟素材からなり、前記上方開口部（１３）の縁から外と下に向けて伸びる周辺リブ（１４）を有し、それにより、調理器具が浮かんでいるときに、前記周辺リブ（１４）が空気を捉えることで、調理器具の浮力と浮かぶときの安定性に有用であることを特徴とする殻のない卵の調理器具。
【請求項２】
前記蓋（２０）が柔軟素材からなり、調理器具が沸騰したお湯に浮かんでいるとき、取っ手（２３）が実質的に浮かび出るように、前記カバー壁（２１）に前記取っ手（２３）が接続した状態にあることを特徴とする請求項１に記載の殻のない卵の調理器具。
【請求項３】
前記容器（１０）の前記周辺閉鎖要素（１５）と前記蓋（２０）の前記周辺閉鎖要素（２２）とが互いに圧力結合しているときに、調理器具が前記取っ手（２３）によってつかまれると、前記蓋（２０）とともに前記殻のない卵が入った前記容器（１０）を持ち上げるのに十分な摩擦力を提供するように形成されていることを特徴とする請求項２に記載の殻のない卵の調理器具。
【請求項４】
前記容器（１０）の前記周辺閉鎖要素（１５）は、前記カップ（１１）の前記上方領域（１１ａ）に形成された内部円錐表面を備え、
前記蓋（２０）の前記周辺閉鎖要素（２２）は、前記カバー壁（２１）から下に向けて伸びる周辺テール部分に形成された外部円錐表面を備えることを特徴とする請求項２または３に記載の殻のない卵の調理器具。
【請求項５】
前記蓋（２０）の前記カバー壁（２１）は、上方中央領域に凹み部分（２４）を有するドーム形状を有し、
前記取っ手（２３）は、前記凹み部分（２４）の中に位置する握り形状を有することを特徴とする請求項２に記載の殻のない卵の調理器具。
【請求項６】
前記容器（１０）の前記周辺リブ（１４）は、前記周辺リブ（１４）と前記容器（１０）の前記カップ（１１）との間により大きい空間を設けるため凸形状を有することを特徴とする請求項１に記載の殻のない卵の調理器具。
【請求項７】
前記容器（１０）の前記カップ（１１）の前記上方領域（１１ａ）は、実質的に円錐台形に形成され、
前記下方領域（１１ｂ）は、実質的に半球形状を有することを特徴とする請求項１から６のいずれかに記載の殻のない卵の調理器具。
【請求項８】
前記容器（１０）の前記カップ（１１）の前記上方領域（１１ａ）は、実質的に円錐台形に形成され、
前記下方領域（１１ｂ）は、実質的に円筒形状またはより短い直径の円錐台形に形成され、
推移領域（１１ｃ）は、前記カップ（１１）の上方および下方の各領域を連結することを特徴とする請求項１から６のいずれかに記載の殻のない卵の調理器具。
【請求項９】
前記容器（１０）の前記カップ（１１）の前記上方領域（１１ａ）は、実質的に円錐台形に形成され、
前記下方領域（１１ｂ）は、実質的に角柱形状または切頭ピラミッド形状を有し、
推移領域（１１ｃ）は、前記カップ（１１）の上方および下方の各領域を連結することを特徴とする請求項１から６のいずれかに記載の殻のない卵の調理器具。
【請求項１０】
前記容器（１０）と前記蓋（２０）の素材である前記柔軟素材は、白金で触媒されたシリコンであることを特徴とする請求項１から９のいずれかに記載の殻のない卵の調理器具。
【考案の詳細な説明】
【技術分野】
【０００１】
この考案は、一般的に、殻のない卵の調理器具に関するもので、とりわけ、蓋を備えた柔軟素材からなる容器で、１つかそれ以上の殻のない卵が入る大きさで、容器がいっぱいになり前記蓋で閉じられるとき、沸騰したお湯に浮かぶ容器に関する。
【背景技術】
【０００２】
一定の時間において、沸騰したお湯に卵全体を漬けながら殻の中にある卵をゆでる調理法が知られている。しかしながら、この簡単な工程は、いくつかの不便な点を含んでいる。一方で、温度の変化、沸騰するお湯の動きから衝撃を受け、卵の殻にひびが入ったり、破れる危険があり、卵の白身が殻から出て、沸騰したお湯に広がることがある。もう一方で、殻の中に入った卵を調理するのでは、調理中の卵と合わせる調味料や食材をそこに加えることができない。さらに、殻の中でゆでられた卵は、その調理のあと、手で剥かれることになり、面倒で衛生に欠ける作業となる。
【０００３】
文献ＥＳ−０１５９２７６−Ｕには、殻のない卵をゆでる調理器具が記載されている。同調理器具は、殻のない卵が入る硬い容器と、前記容器を密封する蓋と、容器を支え、操作するための脚部分と取っ手を備えたサポート部分と、を備える。前記サポート部分は、取っ手でつかむことが出来るが、さらに蓋で閉じられ、器の中の沸騰したお湯に殻のない卵を入れた前記容器を沈めるために操作される。サポート部分の脚部分は器の底に位置し、調理中は、容器の基盤部分は器の底から離された状態である。この調理器具で一つの不便な点は、容器とサポート部分の総体が嵩張り、取扱いが面倒で、収納も難しく、硬い容器は、壊れやすく、一度ゆでた卵を取り出すのに実用的でない。
【０００４】
文献ＪＰ−１２８１０５９−Ａには、底部と上方開口部および前記上方開口部を閉じる蓋を備える容器が記載されている。同容器は、殻のない卵が入る大きさで、底部に隣接した下方領域が開口部に隣接した上方領域よりも狭い。殻のない卵が入り、蓋で閉じられる前記容器を、器に入った熱湯に浮かせ、卵をゆでるために、水を電子レンジで熱する。この容器の不便な点は、開口部に隣接した上方領域が、前記浮力安定を確保するために下方領域と比べて極めて広くなっている必要がある。別の不便な点は、取っ手に該当するものがないため、容器を取り出すために、熱湯に指を入れなければならないことである。
【０００５】
文献ＵＳ−２０１０／０２２４０８１−Ａ１には、殻なし卵をゆでるための浮力のある柔軟な容器を開示されており、容器が傾いて、容器に入った殻なし卵が流れ出ることがないように、容器が沸騰したお湯に浮かぶように形作られ、大きさが定まったカップ形の柔軟本体を備えた容器が記載されている。この容器の不便な点は、蓋を備えていないことで、跳ねた熱湯が卵にかかる可能性がある。
【考案の概要】
【考案が解決しようとする課題】
【０００６】
この考案は、前記および別の不便な点を緩和する殻のない卵の調理器具を提供するもので、少なくとも一つの殻のない卵が入る大きさの容器と、前記容器を密封することができる蓋と、を備え、前記殻のない卵が入り、前記蓋によって閉じる容器は、少なくとも部分的に熱湯の中に沈み、卵をゆでることができる。前記容器は、底部のあるカップと、上方開口部と、前記上方開口部の周りに設定される周辺閉鎖要素と、を備え、蓋は、カバー壁と、容器の周辺閉鎖要素に圧力嵌合する周辺閉鎖要素と、を備え、前記容器の前記カップは、前記底部に隣接する下方領域より嵩張り、前記上方開口部に隣接する上方領域を有し、それにより、蓋によって閉じられ、前記殻のない卵が入る前記容器は、熱湯に浮かび、その際にカップは実質的に沈み、蓋は実質的に浮かび出る。
【課題を解決するための手段】
【０００７】
この考案の調理器具は、容器が、白金で触媒されたシリコンのような柔軟素材からなり、容器の上方開口部の縁から外に向けて、下向きに伸びる周辺リブを有することを特徴とする。容器の上方開口部が上側で蓋により閉じられた調理器具が浮かんでいるとき、この周辺リブは、空気を捉えることで正しい状態に置かれ、器具の浮力と浮いた状態の安定性を提供する。
【０００８】
極めて容量が大きい上方領域と周辺リブは、蓋を実質的にお湯の外に保つのに十分な浮力を確保する。殻のない卵は、容器の底部に隣接する前記下方領域に重力によって収納されるので、浮いている状態の調理器具の重力の中心は、お湯の水位の下に維持され、周辺リブの効果と合わさって、前記の浮力の安定性に有用である。
【０００９】
蓋もまた、白金で触媒されたシリコンのような、好ましくは、柔軟素材からなり、調理器具が沸騰したお湯に浮かんでいるときに、前記取っ手が実質的に浮かび出る状態の位置にくるように、前記取っ手が前記カバー壁に接続されている。容器の周辺閉鎖要素と蓋の周辺閉鎖要素は、それらが、互いに圧力接合した場合に、前記殻のない卵が入った容器を持ち上げるのに十分な摩擦力を提供し、調理器具が取っ手でつかまれるときに蓋とともに容器が持ち上げられるように形成されている。このように、利用者は、熱湯から調理器具を取り出すときに指をやけどする危険なしに取っ手をつかむことができる。
【００１０】
ある実施形態において、容器の周辺閉鎖要素は、カップの前記上方領域に形成された内部円錐表面を備え、蓋の周辺閉鎖要素は、カバー壁から下に伸びた周辺テール部分に形成された外部円錐表面を備える。これら内外の円錐表面の円錐形の度合いは、蓋に連結する容器を保持することができる前記摩擦力を確保するために低く設定されている。しかしながら、容器と、場合によっては、蓋の柔軟な性質のために、蓋は、各閉鎖要素の変形によって簡単に外されるようになっている。
【００１１】
特別な実施形態において、蓋のカバー壁は、凸ドーム形状を有し、上方中央領域に凹み部分を有する。この場合に、取っ手は前期凹み部分内に位置し、握り形状を有し、好ましくは、同凹み部分から、はみ出ない。これにより、装置の浮力安定のために必要な低い位置に、重力の中心を保持する効果がある。好ましくは、容器の周辺リブは、凸形状を有し、それは蓋のカバー壁の前記ドーム形状を補い、周辺リブと容器のカップの間にある空気を捉えることができるより大きい空間を確保することになる。
【００１２】
容器のカップの前記上方領域は、一般的に、容器の圧力閉鎖要素の内部の円錐台形表面と連動し、実質的に円錐台形で形成されている。しかしながら、容器の下方領域は、数多くの形状を取り、一度ゆでられた殻のない卵は、容器の下方領域の形を保持することになる。
【００１３】
ある実施形態において、容器の下方領域は、円錐台形の上方領域と継続性を保持しつつ接続し、実質的に半球の形を有する。別の実施形態において、下方領域は、実質的に円筒形状または円錐台形の形をしているが、円錐台形の上方領域よりも短い直径を有し、結果として、容器のカップは、同カップの上方および下方の各領域を結ぶ推移領域を含む。さらに、別の実施形態では、容器のカップの下方領域は、実質的に角柱形状または切頭ピラミッド形状を有し、この場合もまた、カップの上方と下方の各領域を結ぶ推移領域を含む。
【００１４】
容器のカップの下方領域の形がどうであれ、殻のない卵は、一度ゆでられると、容器の口を下に向け、容器の底部を手で押してカップを変形させることによって、そのゆでられた卵を取り外すという方法で、取り出すことができるが、この作業は、容器の柔軟な性質で可能となる。
【図面の簡単な説明】
【００１５】
【図１】本考案にかかる殻のない卵の調理器具の実施の形態を示す上側から見た組立分解斜視図である。
【図２】図１の殻のない卵の調理器具の下側から見た組立分解斜視図である。
【図３】図１、図２に示した殻のない卵の調理器具を構成する容器と蓋が閉じた状態を示す斜視図である。
【図４】図３のＩＶ−ＩＶ線断面図である。
【図５】本考案にかかる殻のない卵の調理器具の別の実施の形態を示す上側から見た組立分解斜視図である。
【図６】図５の殻のない卵の調理器具を下側から見た組立分解斜視図である。
【図７】図５、図６に示した殻のない卵の調理器具を構成する容器と蓋が閉じた状態を示す斜視図である。
【図８】図７のＶＩＩＩ−ＶＩＩＩ線断面図である。
【図９】本考案にかかる殻のない卵の調理器具のさらに別の実施の形態を示す上側から見た組立分解斜視図である。
【図１０】図９の殻のない卵の調理器具を下側から見た組立分解斜視図である。
【図１１】図９、図１０に示した殻のない卵の調理器具を構成する容器と蓋が閉じた状態を示す斜視図である。
【図１２】図１１のＸＩＩ−ＸＩＩ線断面図である。
【考案を実施するための形態】
【００１６】
以下、本考案にかかる殻のない卵の調理器具の実施の形態について、図面を参照しながら説明する。
【００１７】
まず最初に、図１から図４には、この考案の第１実施形態に基づく殻のない卵の調理器具１の一般図が示されており、調理器具１には、１つからそれ以上の殻のない卵（図示されていない）が入る大きさの容器１０と、前記容器１０を閉じることができる蓋２０とが、備わっている。容器１０および蓋２０は柔軟素材からなり、好ましくは、白金で触媒されたシリコンでできている。別の選択肢として、容器のみ柔軟素材からなる。前記殻のない卵が入り、前記蓋２０で閉じられる容器１０は、卵をゆでるために、少なくとも部分的に沸騰したお湯に浸かる。
【００１８】
容器１０は、底部１２と上方開口部１３を有するカップ１１を備える。容器１０のカップ１１は、底部１２に隣接するカップ１１の下方領域１１ｂよりも嵩張る前記上方開口部１３に隣接する上方領域１１ａを有する。卵の殻が割れて、その中身が容器に注がれたとき、殻のない卵は、低重心を実現している、容器の底部１２の上に位置するカップ１１の下方領域１１ｂに、重力によって自然に溜まる。このようにカップ１１の上方領域１１ａの極めて大きな体積と、下方領域１１ｂに位置する低重心のために、蓋２０で閉じられて殻のない卵が入る容器１０は沸騰したお湯に浮かび、その際に、カップ１１は実質的に沈み、蓋２０は実質的に浮かび出る。
【００１９】
容器１０は、ほかに、カップ１１の前記上方開口部１３の縁から外と下に伸びる周辺リブ１４を有する。このように、調理器具が浮いているときに、前記周辺リブ１４は、空気を捉えることで、調理器具の浮力と浮いているときの安定性に有用である。好ましくは、容器１０の周辺リブ１４は、周辺リブ１４とカップ１１の上方領域１１ａとの間で定義される空気を捉えることができるより大きな空間を設けるために、凸形状を有する。
【００２０】
この第１実施形態において、カップ１１の前記上方領域１１ａは、実質的に、円錐台形で形成され、前記下方領域１１ｂは、実質的に半球形状である。円錐台形の上方領域１１ａの最低下方直径は、半球形状の下方領域１１ｂの最大上方直径と等しく、カップ１１の上方および内部の両方の領域は、継続性が解消されることなく連結される。
【００２１】
カップ１１の上方領域１１ａは、上方開口部１３の周りに形成された内部円錐表面の形をした周辺閉鎖要素１５を含む。蓋２０は、カバー壁２１と、カバー壁２１から下に伸びる周辺テール部分を備え、この周辺テール部分において、容器１０の周辺閉鎖要素１５の前記下方円錐表面に圧力嵌合する外部円錐表面の形の周辺閉鎖要素２２が形成されている。
【００２２】
さらに、蓋２０は、調理器具が、熱湯に浮かぶとき、前記取っ手２３が実質的に浮かび出る位置にくるように、前記カバー壁２１が結合する取っ手２３を備える。この最初の実施形態において、蓋２０のカバー壁２１は、上方中央領域に凹み部分２４を備えるドーム形状を有し、取っ手２３は、前記凹み部分２４の中に位置し、握り形状を有する。
【００２３】
容器１０の周辺閉鎖要素１５の前記内部円錐表面と蓋２０の周辺閉鎖要素２２の前記外部円錐表面は、低い円錐形の度合いを有し、それらが互いに圧力嵌合したとき、調理器具が取っ手でつかまれると、蓋２０とともに、前記殻のない卵が入った容器１０を持ち上げるために、十分な摩擦力を提供するようになっている。これにより、取っ手２３で全調理器具１をつかみながら、全調理器具１を操作することが可能で、熱湯が入った器から調理器具１を取り出すために、熱湯に指を入れる必要がなくなる。
【００２４】
カバー壁２１の外部縁は蓋２０の周辺閉鎖要素２２が形成されている周辺テール部分の外に向けて飛び出ており、蓋２０が圧力嵌合される各周辺閉鎖要素１５、２２で容器１０を閉じるとき、容器１０のカップ１１の上方縁で支えられるステップ２５を形成する。この位置において、閉鎖は実質的に密封で実施される。調理器具は、容器１０と蓋２０が変形することによって、簡単に開かれる。
【００２５】
卵の白身は、半液体で粘りがあるので、殻のない卵は、カップ１１の下方領域１１ｂの形状を取り、カップ１１の下方領域１１ｂは、型として作用するので、殻のない卵が一度ゆでられると、その形を保持する。図１から図４で示された最初の実施形態による調理器具１では、殻のない卵の白身は、半球形状を取り、同時に、黄身は、その内部で実質的に球状である。ゆでた殻のない卵は、容器１０を開けて、カップ１１を変形させる様にカップ１１の底部１２を上方開口部１３に向けて手で押すことで、調理器具１から外して取り出されるが、その工程は、容器１０が変形することによって簡単に実施される。
【００２６】
次に、図５から図８までに示された、この考案の第２実施形態に基づく殻のない卵の調理器具２について説明する。同調理器具は、カップ１１の下方領域１１ｂの形状を除いて、図１から図４に示された前記第１実施形態の調理器具１と全ての点で同一である。したがって、蓋２０と、周辺リブ１４を含む容器１０のカップ１１の上方領域１１ａに関する説明は省略する。
【００２７】
この第２実施形態の調理器具２は、第１実施形態と同様、容器１０のカップ１１の上方領域１１ａが実質的に円錐台形である一方で、カップ１１の下方領域１１ｂは、平面底１２を備え、実質的に円筒状で、もしくは、少々、円錐台形である。
【００２８】
下方領域１１ｂの上方端部にある最大直径は、上方領域１１ａの下方端部にある最小直径よりも明らかに短い。結果として、カップは、カップ１１の上方と下方の各領域を連結する推移領域１１ｃを含む。
【００２９】
図５から図８までに示された第２実施形態に基づく調理器具２では、殻のない卵の白身は、円筒形状、または、やや円錐台形の形状を取り、同時に、黄身は、その内部で実質的に球状である。
【００３０】
次に、図９から図１２までに示された、この考案の第３実施形態に基づく殻のない卵の調理器具３について説明する。同調理器具は、カップ１１の下方領域１１ｂの形状を除いて、図１から図４に示された前記第１実施形態の調理器具１と全ての点で同一である。したがって、蓋２０と、周辺リブ１４を含む容器１０のカップ１１の上方領域１１ａに関する説明は省略する。
【００３１】
この第３実施形態の調理器具３は、第１実施形態と同様、容器１０のカップ１１の上方領域１１ａが実質的に円錐台形である一方で、カップ１１の下方領域１１ｂは、平面底１２を備え、実質的に角柱形または、横断面図が四角の円錐台形である。下方領域１１ｂの上方端部の最大周囲は、その対角線が、上方領域１１ａの下方端部の最小直径より明らかに短い四角形である。結果として、カップは、カップ１１の上方と下方の各領域を連結する推移領域１１ｃを含む。
【００３２】
図９から図１２までにおいて、カップ１１の下方領域１１ｂは、横断面図が四角形で、実質的に角柱形または切頭ピラミッド形状に示されているが、選択的に、カップ１１の下方領域１１ｂの実質的に角柱形または切頭ピラミッド形状は、三辺かそれ以上の辺を有する別の多角形の横断面図であり得る。このように図９から図１２までに示された第３実施形態に基づく調理器具３では、殻のない卵の白身は、円筒形状、または、やや円錐台形の形状を取り、同時に、黄身は、その内部で実質的に球状である。
【００３３】
以上説明した実施形態のほかに、容器１０のカップ１１の下方領域１１ｂは、本考案の範囲内で、幾何学的な形、自然の要素をまねた形、そして空想上の形を含む多くの別の形を有し、殻のない卵、または液体食品または柔らかい食品を型に入れて調理することができる。
【００３４】
なお、本考案の属する技術分野における当業者であれば、添付の実用新案登録請求の範囲で定義された本考案の技術的範囲を逸脱することなく、これまで説明した実施形態の変更、変化、組合せなどが可能であることは理解されるであろう。
【符号の説明】
【００３５】
１，２，３  殻のない卵の調理器具
１０        容器
２０        蓋
【図１】
0003177082.tif 000003
【図２】
0003177082.tif 000004
【図３】
0003177082.tif 000005
【図４】
0003177082.tif 000006
【図５】
0003177082.tif 000007
【図６】
0003177082.tif 000008
【図７】
0003177082.tif 000009
【図８】
0003177082.tif 000010
【図９】
0003177082.tif 000011
【図１０】
0003177082.tif 000012
【図１１】
0003177082.tif 000013
【図１２】
0003177082.tif 000014